(57)【要約】【課題】発言権を取得していないユーザが、次に発言権を取得したときに発言内容を覚えておかなくても、この発言内容を他の話者達に送信でき、ユーザはリアルタイムで集中して会話に参加することができる携帯通信端末を提供する。【解決手段】携帯通信端末間において通話を行う際に、特定の携帯通信端末に送話を行う発言権を与える通話制御サーバ２に対して発言権の取得要求を行い、通話制御サーバ２からの発言権取得許可を受けて多者間で通話を行う携帯通信端末１であり、発言者となっていないときに、発言したい音声データを記憶する音声データ記憶部２０と、通話制御サーバ２に対し、発言権の取得要求を行う発言権取得部２１２と、発言権取得部２１２による発言権の取得要求に対して、通話制御サーバ２から発言権取得許可を受けたときに、音声データ記憶部２０に記憶されている音声データを通話制御サーバ２に出力する音声データ出力部２１３とを備えている。【選択図】図３
2009278499.tif 000002
【特許請求の範囲】
【請求項１】
パケット通信網を介して、３以上の携帯通信端末及び通話制御サーバが接続され、上記通話制御サーバが、上記携帯通信端末からの発言権取得要求に基づいて、上記携帯通信端末の何れか１つに対し、発言権を付与する多者間通話システムに使用される携帯通信端末において、
音声データを生成する送話用マイクロホンと、
上記通話制御サーバに対し、発言権の取得要求を送信する発言権要求手段と、
上記通話制御サーバから発言権取得許可を受信することにより、発言権を取得する発言権取得手段と、
上記通話制御サーバへ上記音声データを送信する音声データ送信手段と、
上記音声データを保持する音声データ記憶手段と、
発言権を保有していない場合に、上記音声データを上記音声データ記憶手段へ書き込む録音処理を行う録音手段とを備え、
上記発言権要求手段は、上記録音処理の終了に基づいて、上記発言権取得要求を送信し、
上記音声データ送信手段は、上記録音処理の終了後に発言権を取得した場合に、上記音声データ記憶手段が保持する音声データを送信することを特徴とする携帯通信端末。
【請求項２】
上記音声データ送信手段は、ユーザの指定に基づいて、上記送話用マイクロホン及び上記音声データ記憶手段から出力される上記音声データのいずれかを選択的に送信することを特徴とする請求項１に記載の携帯通信端末。
【請求項３】
上記発言権要求手段は、上記ユーザが、上記音声データ記憶手段が保持する上記音声データを上記通話制御サーバへ送信するように指定している間は、上記発言権取得手段が発言権を取得するまで、上記通話制御サーバに対して上記発言権の取得要求を繰り返して送信することを特徴とする請求項１又は２に記載の携帯通信端末。
【発明の詳細な説明】
【技術分野】
【０００１】
本発明は、パケット通信網を介して、３以上の携帯通信端末及び通話制御サーバが接続され、上記通話制御サーバが、上記携帯通信端末からの発言権取得要求に基づいて、上記携帯通信端末の何れか１つに対し、発言権を付与する多者間通話システムに使用される携帯通信端末に関する。
【背景技術】
【０００２】
携帯通信端末である携帯電話機を用いて、複数人のユーザがグループ会話を行うシステムとしては、携帯通信端末間において通話を行う際に、特定の携帯通信端末に送話を行う発言権を与える通話制御サーバ、いわゆるＰｏＣ(Push-to Talk over Cellular)サーバを用いた多者間通信システムが知られている。この多者間通信システムは、一般に、ＰｏＣ(Push-to Talk over Cellular)通信システムと言われている。ＰｏＣ通信システムは、携帯通信端末間をＩＰ(Internet Protocol)ネットワーク上で通話可能にするＶｏＩＰ(Voice over IP)をベースにしている。
【０００３】
ＰｏＣ通信システムでは、パケット通信網を用い、１対１の通話だけでなく、多人数間での通話を行うことができる。しかしながら、ＰｏＣ通信システムは、発言者が携帯電話機の専用キーを押下することにより、ＰｏＣサーバへ発言権の取得要求を行う。そして、このＰｏＣサーバから発言権取得許可を得たときは、上記専用キーを押下しながら発言することにより、発言した音声データがネットワークを介してＰｏＣサーバから他の携帯電話に送信される。音声データを受信した他の複数の携帯電話機は、発言者が上記専用キーを押し続けている間は、発言することができず、音声データの受信のみが行われる。
【０００４】
このように、ＰｏＣ通信システムでは、二人以上が同時に話すことはできない。ＰｏＣ通信システムでは、他の者はＰｏＣサーバへ発言権の取得要求を行い、現在発言している者が話し終わってから、次に発言権を取得した者が発言することができる。具体的には、発言している発言権取得者が上記専用キーを解放することによって、誰も話をしていない状態となり、発言権は解放され、この発言権が解放されている間に、最初に発言権取得要求を行った携帯電話機のユーザが発言権を取得し、その携帯電話機のみが発言が可能となる。
【０００５】
この発言権はＰｏＣサーバによって管理され、ＰｏＣサーバは、メンバの登録、メンバの「不在」や「在室」等の参加可否情報の把握（プレゼンス機能）、複数の携帯電話機に対する発言権の割当て（フロア制御）等を行っている。
【０００６】
さらに、上記ＰｏＣ通信システムでは、発言していない携帯電話機のユーザが発言権をとるためには、発言権取得者が発言を止めて、発言権が解放された状態になってから、発言権取得者以外の者が、発言権取得要求をＰｏＣサーバに送信する必要がある。しかし、誰かが発言している最中はもちろんのこと、発言していなくてもＰｏＣサーバから他の者に発言権獲得通知が先に送られてしまった場合には、発言したくても発言することができない。また、発言している人がずっと話し続け、発言権を手放さない場合には、他の人はその間ずっと発言することができず、しかも、発言したい意思を伝えることができない。なお、発言したい意思を伝える手段として、テキスト情報を送る方法があるが、テキスト入力はリアルタイムに意思を伝えるのは難しい。
【０００７】
そこで、発言権の予約をＰｏＣサーバに対して行い、発言権が開放状態になる毎に、予約の登録順に発言権を優先的に与えて発言しやすくするＰｏＣ通信システムが提案されている（例えば特許文献１参照）。特許文献１に開示されているＰｏＣ通信システムによれば、発言権の予約ができるようにすることで、予約の登録順に発言権を与えて発言権を公正な順番で取得させる事ができる。
【０００８】
【特許文献１】特開２００６−１８０１４３号公報
【発明の開示】
【発明が解決しようとする課題】
【０００９】
しかしながら、特許文献１に記載の発明では、リアルタイムで会話の内容を把握しながら、発言の順番が回ってくるまで、過去の会話に対する発言内容を覚えておくのはかなりのストレスを受ける。また、発言の順番が回ってきた発言者は、発言するまでに時間が経ち過ぎて発言したかった内容を思い出せなかったり、発言したかった内容に気を取られて、発言権を取得した時には話の内容が変わっていてその時点で発言すべき内容がすぐに思いつかなかったりする場合もある。
【００１０】
本発明は、上記の事情に鑑みてなされたものであり、発言権を取得していないユーザが、発言権取得許可を受けたときに、発言したい内容を覚えておかなくても、この発言したい内容を他の話者達に送信でき、しかも、上記ユーザは、リアルタイムで集中して会話に参加することができる携帯通信端末を提供することを目的とする。
【課題を解決するための手段】
【００１１】
第１の本発明による携帯通信端末は、パケット通信網を介して、３以上の携帯通信端末及び通話制御サーバが接続され、上記通話制御サーバが、上記携帯通信端末からの発言権取得要求に基づいて、上記携帯通信端末の何れか１つに対し、発言権を付与する多者間通話システムに使用される携帯通信端末において、音声データを生成する送話用マイクロホンと、上記通話制御サーバに対し、発言権の取得要求を送信する発言権要求手段と、上記通話制御サーバから発言権取得許可を受信することにより、発言権を取得する発言権取得手段と、上記通話制御サーバへ上記音声データを送信する音声データ送信手段と、上記音声データを保持する音声データ記憶手段と、発言権を保有していない場合に、上記音声データを上記音声データ記憶手段へ書き込む録音処理を行う録音手段とを備え、上記発言権要求手段は、上記録音処理の終了に基づいて、上記発言権取得要求を送信し、上記音声データ送信手段は、上記録音処理の終了後に発言権を取得した場合に、上記音声データ記憶手段が保持する音声データを送信するように構成されている。
【００１２】
第１の本発明による携帯通信端末によれば、発言者に対して直ぐに発言できない場合には、発言したい内容を音声データとして上記音声データ記憶手段に記憶させておいて、自動的に発言権取得要求を行い、発言権を取得できた時に、自動的に上記音声データ記憶手段が保持する上記音声データを上記通話制御サーバに出力することができる。その結果、ユーザは、自分の発言権を取得するまで、発言したい内容を覚えておきながら、その後に発言されている内容を把握する必要が無くなり、ユーザのストレスは軽減される。
【００１３】
第１の本発明による携帯通信端末は、具体的には、上記発言権要求手段による発言権取得要求に対して最適なときに上記通話制御サーバから発言権を取得できない場合には、上記録音手段を用いて発言したい内容を音声データとして上記音声データ記憶手段に書き込んで録音しておくことができる。そして、本発明による携帯通信端末は、発言したい内容の上記音声データを上記音声データ記憶手段に記憶した場合には、上記発言権要求手段により発言権取得要求を自動的に送信し、上記発言権取得手段が上記発言権を取得した時に、上記音声データ送信手段により、上記音声データ記憶手段が保持する上記音声データを自動的に上記通話制御サーバに出力することができる。
【００１４】
第２の本発明による携帯通信端末は、上記構成に加えて、上記音声データ送信手段は、ユーザの指定に基づいて、上記送話用マイクロホン及び上記音声データ記憶手段から出力される上記音声データのいずれかを選択的に送信するように構成されている。
【００１５】
第２の本発明による携帯通信端末は、このような構成により、発言権を取得した時には、上記ユーザの選択により、その時の会話の内容に合わせて録音された音声データ又は生の音声データを上記通話制御サーバに出力することができる。具体的には、本発明の携帯通信端末は、上記ユーザが、上記音声データ記憶手段に録音されている音声データを上記通話制御サーバに出力させるか、または、上記送話用マイクロホンで生成された音声データをそのまま上記通話制御サーバに出力させるかを指定して、その時の会話の内容に合わせた音声データを上記通話制御サーバに出力させることができる。
【００１６】
第３の本発明による携帯通信端末は、上記構成に加えて、上記発言権要求手段は、上記ユーザが、上記音声データ記憶手段が保持する上記音声データを上記通話制御サーバへ送信するように指定している間は、上記発言権取得手段が発言権を取得するまで、上記通話制御サーバに対して上記発言権の取得要求を繰り返して送信するように構成されている。
【００１７】
第３の本発明による携帯通信端末によれば、ユーザは、発言したい内容の音声データを上記音声データ記憶手段に録音しておいて、ユーザが上記送話用マイクロホンで生成された生の音声データを上記通話制御サーバに出力したいと思うまでは、この録音された音声データを上記通話制御サーバに出力するために、発言権が得られるまで自動的に繰り返し発言権の取得要求を行うことができる。その結果、ユーザは、発言内容を覚えておくというストレスが生じることなく、その時の会話の内容に集中することができる。
【発明の効果】
【００１８】
本発明の携帯通信端末によれば、発言権を取得していないユーザが、次に発言権取得許可を受けたときに、発言したい内容を覚えておかなくても、この発言したい内容の音声データを録音しておいて、この録音された音声データを他の話者達に自動的に送信することができる。しかも、この場合、上記ユーザは、発言したい内容を覚えておく必要がないので、リアルタイムで会話に集中して参加することができる。
【発明を実施するための最良の形態】
【００１９】
本発明に係る携帯通信端末としての携帯電話機について、パケット通信網を介して３以上の携帯電話機及び通話制御サーバが接続されて構成される多者間通話システムに使用される場合の実施の形態について、図面に基づいて説明する。
【００２０】
本実施形態に係る多者間通話システムは、図１に示すように、通話制御サーバ２を介して多数の携帯電話機１の間で通信が行われるシステムであり、携帯電話機１と通話制御サーバ２との間の通信は、ネットワーク３を介して行われる。すなわち、携帯電話機１から通話制御サーバ２に向けたデータは、ネットワーク３を介して通話制御サーバ２に送られる。また、通話制御サーバ２から携帯電話機１に向けたデータは、ネットワーク３を介して携帯電話機１に送られる。
【００２１】
図２は、本実施の形態に係る携帯電話機１の概略構成の一例を示した外観図であり、携帯電話機の一例としてスライド式の携帯電話機１が示されている。この携帯電話機１は、表示筐体１１が操作筐体１２に対して、表示画面と水平な方向にスライドするようになっている。
【００２２】
表示筐体１１も操作筐体１２も縦長で薄型の直方体形状からなり、同じ面積に形成されている。そして、表示筐体１１は、操作筐体１２に対して完全に重なり合った状態と、図２に示すように、携帯電話機１全体の長さが長手方向に延びるようにスライドさせた状態とに切り替わるようになっている。
【００２３】
表示筐体１１は、長方形の画面からなる表示部１３、受話用レシーバ１４及び送話用マイクロホン１５を有している。表示部１３は、ＬＣＤ（Liquid Crystal Display：液晶ディスプレイ）により構成されており、その長手方向が表示筐体１１の長手方向と一致するように配置されている。受話用レシーバ１４は、表示筐体１１における長手方向端部に配置されており、通話時に相手方電話機からの音声が出力される。送話用マイクロホン１５は、表示筐体１１における受話用レシーバ１４とは反対側の長手方向端部に配置されており、通話時にユーザの音声が入力される。
【００２４】
操作筐体１２は、オンフックキー、オフフックキー及びテンキーなどの複数の操作キー１６とＰｏＣ(Push-to Talk over Cellular)キー１７とが設けられている。各操作キー１６は、表示筐体１１がスライドして図２の状態にあるときに露出するようになっている。各操作キー１６は、いずれも押圧面を有する接点開閉式のスイッチからなり、押圧面を押圧することにより端子間が導通されて所定の入力信号が出力される。
【００２５】
ＰｏＣキー１７は、操作筐体１２の側面に設けられており、携帯電話機１を使用するユーザが通話制御サーバ２に対して発言権の取得要求を行う際と、発言権取得許可を受けて発言する際に押下するキーである。ＰｏＣキー１７も押圧面を有する接点開閉式のスイッチからなり、押圧面を押圧することにより端子間が導通されて所定の入力信号が出力される。
【００２６】
図３は、図２の携帯電話機１におけるＰｏＣキー１７を用いて多者間通話を行う際の機能構成の一例を示した機能ブロック図である。携帯電話機１は、上述したように、表示部１３、受話用レシーバ１４、送話用マイクロホン１５、操作キー１６、ＰｏＣキー１７を備えると共に、さらに、アンテナ１８を有する無線部１９、音声データ記憶部２０、そして、他者間通話制御部２１を備える。
【００２７】
無線部１９は通話制御サーバ２又は他の携帯電話機１との間で無線電波を送受信する。無線部１９は、具体的には、電話回線やインターネットプロバイダなどへのアクセスポイントにネットワーク３を介して発信し、データ要求等の信号を送信したり、データを含む読み出し信号を受信してデコードしたりする。
【００２８】
音声データ記憶部２０は、多者間通話時にユーザが送話用マイクロホン１５から入力した音声データを録音（記憶）する。音声データ記憶部２０に録音された音声データは、通話制御サーバ２へ送信される。
【００２９】
そして、他者間通話制御部２１は、携帯電話機１が多者間通話を行う際の動作を制御する。本実施形態では、例えば、ＰｏＣキー１７を押下することにより、表示部１３に、多者間通話を行う相手を表示させたり、通話制御サーバ２に対して、発言権の取得要求を行ったり、発言権取得許可を受けて発言した音声データを通話制御サーバ２に送信したりする制御を行う。
【００３０】
他者間通話制御部２１は、発言権要求部２１１、発言権取得部２１２、音声データ出力部２１３、そして、音声データ録音部２１４を備えている。
【００３１】
発言権要求部２１１は、多者間通話時に、通話制御サーバ２に対して発言権の取得要求を送信する。発言権要求部２１１は、音声データ記憶部２０に発言内容の音声データが録音されている場合には、他の携帯電話機が所有する発言権が開放されて発言権を取得するまでの間、通話制御サーバ２に対して自動的に発言権の取得要求を繰り返して行うようなっている。
【００３２】
発言権取得部２１２は、多者間通話時に、通話制御サーバ２からの発言権開放通知及び発言権取得許可通知を受信する。発言権取得部２１２が、発言権取得許可通知を受信することにより、携帯電話機１が発言権を取得することになる。
【００３３】
音声データ出力部２１３は、多者間通話時に、ユーザが送話用マイクロホン１５から入力した音声データをそのまま通話制御サーバ２へ出力したり、音声データ記憶部２０に記憶されている音声データを通話制御サーバ２へ出力したりする音声データ送信手段としての機能と、通話制御サーバ２から受信した音声データを受話用レシーバ１４に出力する機能とを有する。
【００３４】
さらに、音声データ出力部２１３は、音声データを通話制御サーバ２へ出力する音声データ送信手段として機能する場合には、ユーザの指定操作に基づいて、音声データ記憶部２０に録音されている音声データを通話制御サーバ２へ出力する制御と、発言権を保有している時にユーザが発言して送話用マイクロホン１５から入力されている音声データをそのまま通話制御サーバ２へ出力する制御とを切り替えて行うことができる。
【００３５】
なお、音声データ記憶部２０に録音されている音声データとは、多者間通話時にユーザが発言権の取得要求を行っても発言権が得られないときに、他の携帯電話機の使用者が発言した内容に対する発言を音声データとして音声データ記憶部２０に録音しておいた音声データである。
【００３６】
音声データ録音部２１４は、多者間通話時に発言権を保有していないユーザが、そのときの発言者に対して発言したい内容を送話用マイクロホン１５から入力した時に、この入力された音声データを音声データ記憶部２０に書き込んで録音処理を行う。
【００３７】
通話制御サーバ２は、図１に示すように、多者間通話を行っている複数の携帯電話機１のうち、発言権を保有している携帯電話機１が発言権を開放した場合、各携帯電話機１に対して発言権開放通知を出力する発言権開放通知部２０１を備えている。さらに、通話制御サーバ２は、各携帯電話機１からの発言権の取得要求に対して、最も早く発言権の取得要求があった携帯電話機１に対して発言権取得許可通知を出力する発言権取得許可通知部２０２も備えている。
【００３８】
次に本実施形態の携帯電話機１により多者間通話を行う際の処理について図４のフローチャートに従って説明する。本実施の形態の携帯電話機１は、ユーザがＰｏＣキー１７を押下することにより多者間通話が開始される。多者間通話が開始され、ユーザがＰｏＣキー１７を押し続けることにより、他者間通話制御部２１の発言権要求部２１１が、通話制御サーバ２からの発言権開放通知の取得動作を行う(ステップＳ１０１)。発言権要求部２１１において、発言権開放通知が取得されたと判断された場合には（ステップＳ１０１でＹｅｓ）、発言権要求部２１１は、通話制御サーバ２に対して発言権の取得要求を行う(ステップＳ１０２）。
【００３９】
さらにユーザがＰｏＣキー１７を押し続けると、発言権取得部２１２が、発言権の取得要求に対して通話制御サーバ２から発言権取得許可通知が送られてきたかどうかを判断し（ステップＳ１０３）、発言権取得許可通知を受信した場合には（ステップＳ１０３でＹｅｓ）、ユーザは、送話用マイクロホン１５から発言したい内容を入力し、この発言内容は音声データに変換されて、通話制御サーバ２に送信される（ステップＳ１０４）。
【００４０】
通話制御サーバ２に送信された音声データは、通話制御サーバ２を介して、他の携帯電話機１に送信される。なお、他者間通話制御部２１は、発言権を取得した場合には、発言権を取得したことを表示部１３に表示したり、受話用レシーバ１４から発言権を取得したことを知らせる音を鳴らしたりして、ユーザに報知する。
【００４１】
また、発言権取得許可通知を受信せず、発言権を取得できなかった場合には(ステップＳ１０３でＮｏ）、他者間通話制御部２１は、発言権を取得できなかったことを表示部１３に表示したり、受話用レシーバ１４から発言権を取得できなかったことを知らせる音を鳴らしたりして、ユーザに報知する。
【００４２】
次に、音声データ録音部２１４は、ユーザが通話制御サーバ２に対して、発言したい内容を録音(記録)しようとしているかどうかを判断する（ステップＳ１０５）。ユーザが発言内容を録音しようとしているかどうかの判断は、ユーザが操作キー１６のうち、録音開始キーとなる操作キー１６を操作したかどうかで判断する。
【００４３】
音声データ録音部２１４は、ユーザが発言したい内容を録音しようとしていると判断した場合には(ステップＳ１０５でＹｅｓ)、発言したい内容の音声データを音声データ記憶部２０に書き込んで録音する(ステップＳ１０６)。また、音声データ録音部２１４が音声データを録音しないと判断した場合には(ステップＳ１０５でＮｏ)、発言権要求部２１１は発言権開放通知の受信を待つ。
【００４４】
音声データ録音部２１４は、音声データが音声データ記憶部２０に録音され始めると(ステップＳ１０６)、音声データ記憶部２０への音声データの録音が完了したかどうかを判断する(ステップＳ１０７)。音声データ記憶部２０への音声データの録音が完了すると(ステップＳ１０７でＹｅｓ)、ユーザが再度ＰｏＣキー１７を押し続けることにより、発言権要求部２１１による通話制御サーバ２からの発言権開放通知の取得動作が行われる(ステップＳ１０８)。発言権開放通知の取得動作は、発言権開放通知を取得するまで行われる(ステップＳ１０８でＮｏ)。
【００４５】
そして、発言権要求部２１１において、発言権開放通知が取得されたと判断された場合には（ステップＳ１０８でＹｅｓ）、発言権要求部２１１は、通話制御サーバ２に対して発言権の取得要求を行う(ステップＳ１０９）。
【００４６】
さらにユーザがＰｏＣキー１７を押し続けると、発言権取得部２１２が、発言権の取得要求に対して通話制御サーバ２から発言権取得許可通知が送られてきたかどうかを判断する（ステップＳ１１０）。発言権取得許可通知を受信した場合には（ステップＳ１１０でＹｅｓ）、音声データ出力部２１３は、自動的に、音声データ記憶部２０に録音されている音声データを通話制御サーバ２に送信する（ステップＳ１１１）。通話制御サーバ２に送信された音声データは、通話制御サーバ２を介して、他の携帯電話機１に送信される。
【００４７】
発言権取得許可通知を受信できなかった場合には（ステップＳ１１０でＮｏ）、発言権要求部２１１は、音声データ記憶部２０に音声データが録音されてからの発言権取得要求の回数をカウントし、発言権取得要求が３回目であるか否かの判断がなされる(ステップＳ１１２)。発言権取得要求が２回までのときは(ステップＳ１１２でＮｏ)、ステップＳ１０８に戻り、発言権開放通知が取得された否かの判断を行い、発言権取得の再要求を行う。また、発言権取得要求が３回目である場合には(ステップＳ１１２でＹｅｓ)、音声データ録音部２１４は、音声データ記憶部２０から録音されている音声データを消去する(ステップＳ１１３)。
【００４８】
上記実施の形態では、携帯電話機１は、ステップＳ１１２において、発言権取得要求が３回となったときに、記録したデータが次回発言時に有効な発言でないものと判断して、音声データを消去するようにしている。しかしながら、音声データ記憶部２０から音声データを消去するための発言権取得要求の回数（リトライ回数）は、自由に設定できる。
【００４９】
また、携帯電話機１は、上記ステップＳ１１２において、発言権取得要求を行うかどうかをユーザに確認するようにしてもよい。この場合、携帯電話機１は、ユーザが発言権取得要求は不要と判断したときには、音声データは発言時に有効な発言ではないとして消去される。
【００５０】
また、本発明に係る携帯通信端末において、音声データ記憶部に記憶されている音声データを送信するための条件は、上記実施の形態に限らず、他の条件に設定することができる。例えば、ユーザの希望に合わせて、携帯通信端末は、音声データ記憶部への音声データの録音（記憶）及びこの音声データを出力するための自動発言権取得動作を行うように設定したり、音声データの録音は行わないように設定したりすることができるようにする。
【００５１】
また、以上の実施の形態では、携帯通信端末としての携帯電話機１は、表示筐体１１が操作筐体１２に対してスライドする構成とした。しかし、携帯通信端末は、このような構成に限らず、表示部、受話用レシーバ、送話用マイクロホン、操作キーそしてＰｏＣキーを備える構成であれば本発明を適用できる。
【図面の簡単な説明】
【００５２】
【図１】本発明の実施の形態による多者間通話システムの一例を示した説明図である。
【図２】本実施の形態による携帯通信端末の概略構成の一例を示した外観図であり、携帯通信端末の一例としてスライド式の携帯電話機１が示されている。
【図３】図２の携帯電話機１の構成例を示した機能ブロック図であり、ＰｏＣキー１７を用いて多者間通話を行う際の機能構成の一例が示されている。
【図４】本発明の実施の形態の携帯電話機を用いて多者間通話を行う動作を示したフローチャートである。
【符号の説明】
【００５３】
１  携帯電話機
１１  表示筐体
１２  操作筐体
１３  表示部
１４  受話用レシーバ
１５  送話用マイクロホン
１６  操作キー
１７  ＰｏＣキー
１８  アンテナ
１９  無線部
２０  音声データ記憶部
２１  多者間通話制御部
２１２  発言権要求部
２１３  発言権取得部
２１４  音声データ出力部
２１４  音声データ録音部
２  通話制御サーバ
２０１  発言権開放通知部
２０２  発言権取得許可通知部
３  ネットワーク
【図１】
2009278499.tif 000003
【図２】
2009278499.tif 000004
【図３】
2009278499.tif 000005
【図４】
2009278499.tif 000006